(57)【要約】      （修正有）【課題】本体及び周辺機器の使用状況に応じたクイックスタートを可能とする記録再生装置及び記録再生装置の起動方法を提供する。【解決手段】情報を記録し再生する記録再生装置１０であって、外部装置から信号を受信し外部装置ＴＳの電源オンオフ状態を検出する検出部と、検出部が検出した外部装置の所定期間毎の電源オンオフ状態を示す第１テーブルと、記録再生装置の所定期間毎の電源オンオフ状態を示す第２テーブルを記憶する記憶部３４と、記憶部が記憶している第１テーブルと第２テーブルに基づいて、第１モードと、電源オン操作信号に応じて第１モードよりも短時間で記録機能または再生機能を起動する第２モードとの一方を選択して実行する電源制御部３１をもつ記録再生装置。【選択図】図２
2008243337.tif 000002
【特許請求の範囲】
【請求項１】
情報を記録し再生する記録再生装置であって、
外部装置から信号を受信し前記外部装置の電源オンオフ状態を検出する検出部と、
前記検出部が検出した前記外部装置の所定期間毎の電源オンオフ状態を示す第１テーブルと、当該記録再生装置の所定期間毎の電源オンオフ状態を示す第２テーブルを記憶する記憶部と、
前記記憶部が記憶している前記第１テーブルと前記第２テーブルに基づいて、第１モードと、電源オン操作信号に応じて前記第１モードよりも短時間で記録機能または再生機能を起動する第２モードとの一方を選択して電源供給を実行する電源制御部を具備することを特徴とする記録再生装置。
【請求項２】
前記検出部は、前記外部装置から供給される映像信号に基づいて、前記外部装置の電源オンオフ状態を判断することを特徴とする請求項１記載の記録再生装置。
【請求項３】
前記検出部は、前記外部装置から供給されるＨＤＭＩ規格の信号に基づいて前記外部装置の電源オンオフ状態を判断することを特徴とする請求項１記載の記録再生装置。
【請求項４】
前記検出部は、前記外部装置と接続されるEthernet（登録商標）による信号に基づいて前記外部装置の電源オンオフ状態を判断することを特徴とする請求項１記載の記録再生装置。
【請求項５】
前記第２モードは、クイック起動モードであって、少なくとも前記記録機能及び再生機能のためのハードディスクドライブを起動することを特徴とする請求項１記載の記録再生装置。
【請求項６】
前記第１テーブル及び前記第２テーブルのデータを演算し、この演算結果を閾値と比較した結果に基づいて前記第１モードまたは前記第２モードを選択することを特徴とする請求項１記載の記録再生装置。
【請求項７】
情報を記録し再生する記録再生装置であって、
外部装置から信号を受信し前記外部装置の電源オンオフ状態を検出する検出部と、
当該記録再生装置の所定期間毎の電源オンオフ状態を示すテーブルを記憶する記憶部と、
前記検出部の検出結果と、前記記憶部が記憶している前記テーブルに基づいて、第１モードと、電源オン操作信号に応じて前記第１モードよりも短時間で記録機能または再生機能を起動する第２モードとの一方を選択して電源供給を実行する電源制御部を具備することを特徴とする記録再生装置。
【請求項８】
情報を記録し再生する記録再生装置の起動方法であって、
外部装置から信号を受信し前記外部装置の所定期間毎の電源オンオフ状態を検出して第１テーブルを生成して記憶し、
当該記録再生装置の所定期間毎の電源オンオフ状態を示す第２テーブルを生成し記憶し、
前記第１テーブルと前記第２テーブルに基づいて、第１モードと、電源オン操作信号に応じて前記第１モードよりも短時間で記録機能または再生機能を起動する第２モードとの一方を選択して電源供給を実行し、電源オン操作信号に応じて各機能を起動させることを特徴とする記録再生装置の起動方法。
【請求項９】
前記外部装置から前記記録再生装置に供給される映像信号に基づいて、前記外部装置の電源オンオフ状態を判断することを特徴とする請求項８記載の記録再生装置の起動方法。
【発明の詳細な説明】
【技術分野】
【０００１】
この発明は、接続される周辺機器の電源オンオフ状態を考慮して起動モードを選択する記録再生装置及び記録再生装置の起動方法に関する。
【背景技術】
【０００２】
最近、映像装置の分野において、デジタル処理技術の適用が非常に進んできており、このため、映像信号の処理回路がデジタル映像信号を処理するコンピュータ装置の構造をもっていることが一般的となってきている。このため、電源スイッチを投入しても、起動までに数十秒等の時間がかかってしまうことがあり、従来のアナログ装置と比較すると、レスポンスが悪い印象がある。このため、クイック動作モードを用意して、起動に時間のかかるハードディスクドライブ等を予め起動しておく方法があるが、常に起動しておくと、電力消費が大きくなってしまうので、使用頻度の高い時間帯だけ起動しておく方法が知られている。
【０００３】
特許文献１は、ＡＶ機器の本体電源が例えば過去１週間、どのようにオンオフされたかのデータを確保し、使用頻度の高い時間帯において部分通電モードを適用することで、省電力とクイックスタートを同時に実現するものである。
【特許文献１】特開平７−２１２６７８号公報
【発明の開示】
【発明が解決しようとする課題】
【０００４】
しかし、特許文献１の従来技術は、本体の使用状況（例えば過去一週間の電源オンオフ状況）のみに基づくクイックスタートを行っているが、例えば、本体が映像レコーダであれば、これに接続されているテレビモニターの使用状況を全く考慮してはいない。
【０００５】
本発明は、本体及び周辺機器の使用状況に応じたクイックスタートを可能とする記録再生装置及び記録再生装置の起動方法を提供することを目的とする。
【課題を解決するための手段】
【０００６】
課題を解決するための一つの実施形態は、
情報を記録し再生する記録再生装置であって、
外部装置から信号を受信し前記外部装置の電源オンオフ状態を検出する検出部（５２，５３，１７）と、
前記検出部が検出した前記外部装置の所定期間毎の電源オンオフ状態を示す第１テーブル（図５）と、当該記録再生装置の所定期間毎の電源オンオフ状態を示す第２テーブル（図６）を記憶する記憶部（３４）と、
前記記憶部が記憶している前記第１テーブルと前記第２テーブルに基づいて、第１モードと、電源オン操作信号に応じて前記第１モードよりも短時間で記録機能または再生機能を起動する第２モードとの一方を選択して実行する電源制御部（３１）を具備することを特徴とする記録再生装置である。
【発明の効果】
【０００７】
記録再生装置本体だけでなく、テレビモニター等の周辺機器の使用状況（例えば過去一週間の電源オンオフ状況）をも考慮して、省電力とクイックスタートとを同時に実現する。
【発明を実施するための最良の形態】
【０００８】
以下、この発明の実施の形態について図面を参照して詳細に説明する。
【０００９】
＜本発明の一実施形態に係る記録再生装置＞
本発明に係る実施形態は、情報処理装置であり、一例として、ハードディスクレコーダ等の記録再生装置に適用されるが、これに限定されるものではない。図１は、本発明の一実施形態に係る情報再生装置の特徴の一例を示す説明図である。図２は、本発明の一実施形態に係る情報再生装置の構成の一例を示すブロック図である。
【００１０】
図１において、後述される本発明の一実施形態に係る情報再生装置の特徴の一例である４つの動作モードが示されている。すなわち、本発明の一実施形態に係る情報再生装置は、外部からの電源が全く与えられていない『無電源状態Ｍ０』と、コンセント等から交流電圧等が本体に印加されることで（ステップＳ１）起動され、ＨＤＤ、ドライブ、周辺回路等が初期化されることですぐ電源オンモードＭＡへ移行可能な『クイック起動モードＭ１』と、ＨＤＤ、ドライブ、周辺回路等には電源が供給されておらず、マイクロコンピュータ等の電源制御部３１のみが動作している省電力モードである『スタンバイモードＭ２』と、クイック起動モードＭ１またはスタンバイモードＭ２から電源スイッチがオンされたことで（ステップＳ４，Ｓ５）、電源が完全に供給され通常の動作が可能な『電源オンモードＭＡ』である。
【００１１】
ここで、クイック起動モードＭ１とスタンバイモードＭ２の間は、後述するように、周辺機器及び本体の電源オンオフテーブルに基づく自動遷移が行なわれることで、使用状況に応じて、省電力と迅速な起動とを同時に実現している。
【００１２】
（構成）
次に、本発明の実施形態である情報再生装置の一例であるハードディスクレコーダの構成の一例を図面を用いて詳細に説明する。図２は、同じく記録装置の一例であるハードディスクレコーダを示すブロック図である。なお、ここでは本発明の一実施形態に係る情報再生装置を、一例としてハードディスクレコーダ機能をもった光ディスク記録再生装置を用いて説明するが、情報再生装置は様々な形態が含まれるものであり、それらは全て本発明の実施形態の範囲に含まれるものである。
【００１３】
図２が示す記録装置１０は、２種類のディスクドライブ部を有する。まず、ビデオファイルを構築できる情報記録媒体である第１のメディアとしての光ディスクＤを回転駆動し、情報の読み書きを実行する光ディスクドライブ部１９を有する。又、第２のメディアとしてのハードディスクを駆動するハードディスクドライブ部１８を有する。制御部３０は、全体の動作を司るべくデータバスを介して各部に接続されている。
【００１４】
又、図２の記録装置１０は、録画側を構成するエンコーダ部２１と、再生側を構成するＭＰＥＧデコーダ部２３と、装置本体の動作を制御する制御部３０とを主たる構成要素としている。記録装置１０は、入力側のＩ／Ｆ部１６と出力側のＩ／Ｆ部１７とを有しており、入力側のＩ／Ｆ部１６には、ＬＡＮ等の通信部１１と、いわゆるＢＳ／ＣＳ（衛星放送）チューナ部１２と、いわゆる地上波チューナ部１３とが接続され、エンコーダ部２１に信号を出力する。又、ＢＳ／ＣＳチューナ部１２には衛星アンテナが、地上波チューナ部１３には地上波アンテナが接続されている。又、記録装置１０は、エンコーダ部２１と、エンコーダ部２１の出力を受け、データ編集等の所望のデータ処理を行うデータ編集部２０、データ編集部２０に接続されるハードディスクドライブ部１８、光ディスクドライブ部１９を有している。
【００１５】
更に、記録装置１０は、映像音声ファイル等を記録するハードディスクドライブ部１８と、光ディスクＤに対して記録処理及び再生処理を施す光ディスクドライブ部１９と、ハードディスクドライブ部１８や光ディスクドライブ部１９からの各パケット信号を格納するバッファ部２２と、格納された各パケット信号を各種類のパケットに分離する分離部２９と、分離部２９で分離された映像音声用のパケットをデコードするＭＰＥＧデコーダ部２３と、ＭＰＥＧデコーダ部２３からの映像音声信号に処理を施す音声映像処理部２４を有している。
【００１６】
更に、記録装置１０は、Ｉ／Ｆ部１６等から与えられる映像音声信号等を多重化する多重化部２８と、Ｉ／Ｆ部１６等から与えられる映像音声信号等をＭＰＥＧデコード等を施すエンコーダ部２１と、映像信号等の編集処理を行なうデータ編集部２０を有している。
【００１７】
更に、記録装置１０は、全体の動作を制御する制御部３０と、電子番組情報に対応させて録画予約処理を行なう予約録画部４２と、放送信号の復調信号から電子番組情報を抽出して予約リストや番組表画像を生成する番組表生成部４３を有している。これらの各部は、データバスを介して制御部３０に接続されている。
【００１８】
更に、記録装置１０は、データバスを介して制御部３０に接続され、ユーザの操作やリモコンＲの操作を受ける操作部３２と操作情報等を表示する表示部３３を有している。ここで、リモコンＲは、記録装置１０の本体に設けられる操作部３２とほぼ同等の操作を可能とするものであり、ハードディスクドライブ部１８や光ディスクドライブ部１９の記録再生指示や、編集指示、又、チューナの操作、予約録画の設定等、各種設定が可能である。
【００１９】
更に、Ｉ／Ｆ部１７は、映像音声出力部５１と、映像音声入力部５２と、通信端部５３を設けている。ここで、映像音声出力部５１、映像音声入力部５２は、外部のテレビジョンセットＴＳ等の外部装置との間で利用される、一例として、コンポジット映像信号、Ｄ端子、ｉ．ＬＩＮＫ（登録商標）等である。また、通信端部５３は、ＨＤＭＩや、Ｅｔｈｅｒｎｅｔ（登録商標）等の通信規格による通信端部である。
【００２０】
ここで、図２には、外部装置である周辺機器として、テレビジョンセットＴＳが１台だけ接続されているが、周辺機器は複数であることも好適であり、ＨＤＭＩやＥｔｈｅｒｎｅｔ（登録商標）等の通信端部５３に接続されるネットワーク上に設けた複数のＡＶ機器であることも好適である。
【００２１】
更に、記録装置１０は電源制御部３１とこれに接続されるメモリ部３４を有しており、電源制御部３１は、ケーブルを介して制御部３０に接続され、更に、各部に電源を供給する電源部３５に接続されてこの電源部３５を制御する。また、電源制御部３１は、後述する電源オンオフ状況を監視する対象である複数の周辺機器を選択的に設定することが可能であり、これをメモリ部３４に登録することが可能であると供に現在日時を認識するタイマー機能も有している。また、メモリ部３４は、後述するように本体装置及び周辺機器の電源オンオフテーブルを格納する。
【００２２】
このような構成を有する記録装置１０は、ＢＳ／ＣＳチューナ部１２または地上波チューナ部１３からの映像音声信号をエンコーダ部２１によりエンコードして、ハードディスクドライブ部１８または光ディスクドライブ部１９を介して光ディスクＤに記録し、記録した映像音声信号をＭＰＥＧデコーダ部２３によりデコードして再生することができる。再生された映像音声信号は、音声映像処理部２４により画質処理やγ補正処理等が施され、これらの映像音声信号に基づく映像が外部のテレビジョンセットＴＳ等において画面に表示され音声が出力される。
【００２３】
また、制御部３０及び予約録画部４２によれば、番組表生成部４３で生成された電子番組情報に基づく予約録画処理を行なうことができ、ハードディスクドライブ部１８または光ディスクドライブ部１９に予約録画された映像音声信号は、操作部３２、リモコンＲ等の操作に応じて再生処理を行なうことができる。
【００２４】
＜動作モード遷移処理の一実施形態＞
次に、上述した記録装置１０の電源制御部３１の働きとして、動作モード遷移処理の一例を図面を用いて詳細に説明する。
【００２５】
（４つの動作モードの概要）
初めに、本発明に係る実施形態である記録装置１０の電源制御部３１の働きとして、動作モード遷移処理の一例を図面を用いて説明する。
【００２６】
本発明の一実施形態に係る情報再生装置の特徴の一例である４つの動作モードは、図１に示すように、『無電源状態Ｍ０』と『クイック起動モードＭ１』と、『スタンバイモードＭ２』と、『電源オンモードＭＡ』である。
【００２７】
すなわち、『無電源状態Ｍ０』とは、外部からの電源が全く与えられていない動作モードである。この『無電源状態Ｍ０』は、コンセント等から交流電圧等が本体に印加されることで（ステップＳ１）起動され、『クイック起動モードＭ１』に移行する。
【００２８】
『クイック起動モードＭ１』とは、ＨＤＤ、ドライブ、周辺回路等が初期化されることですぐ電源オンモードＭＡへ移行可能な動作モードである。ここでは、マイクロコンピュータ等の電源制御部３１のみならず、ＨＤＤ、ドライブ、周辺回路等がすぐ使用可能な状態となっている。
【００２９】
『スタンバイモードＭ２』とは、マイクロコンピュータ等の電源制御部３１のみが動作しており、省電力が可能であるが、起動に多少の時間がかかる動作モードである。
【００３０】
『電源オンモードＭＡ』とは、『スタンバイモードＭ２』と、クイック起動モードＭ１またはスタンバイモードＭ２から電源スイッチがオンされたことで（ステップＳ４，Ｓ５）、電源が完全に供給され通常の動作が可能となった動作モードである。
【００３１】
（動作モード遷移処理の詳細な説明）
次に、本発明の一実施形態である記録装置の動作モード遷移処理を図３のフローチャートを用いて詳細に説明する。図３及び図４は、本発明の一実施形態に係る情報再生装置の動作モード遷移処理の一例を示すフローチャートである。また、図５は、情報再生装置が記録する使用状況データテーブルの一例を示す説明図、図６は、周辺機器の使用状況データテーブルの一例を示す説明図、図７は、情報再生装置が推薦する動作モードデータテーブルの一例を示す説明図である。
【００３２】
なお、以下の図３及び図４のフローチャートの各ステップは、回路ブロックに置き換えることができ、従って、各フローチャートのステップは、全てブロックに定義しなおすことが可能である。
【００３３】
本発明に係る一実施形態である記録装置１０の電源制御部３１は、図３のフローチャートに示す動作モード遷移処理において、記録装置１０本体及び周辺機器（外部装置、一例として、図１のテレビジョンセットＴＳ等）の電源オンオフ状態のテーブルの記録を行なうと供に、このテーブルに基づいてスタンバイモードＭ２とクイック起動モードＭ１を適宜切り替える機能が示されている。ここでは、『無電源状態Ｍ０』→『クイック起動モードＭ１』→『スタンバイモードＭ２』→『クイック起動モードＭ１』→『電源オンモードＭＡ』→『クイック起動モードＭ１』と遷移していく場合を例にとって、図３及び図４のフローチャートの動作モード遷移処理を説明する。
【００３４】
すなわち、本発明に係る一実施形態である記録装置１０の電源制御部３１は、図３のフローチャートにおいて、本体のＡＣ電源コード等がＡＣ電源コンセント等に挿入されることで、交流電源等が本体に供給される（ＡＣ電源接続）と、初期設定を行なう（ステップＳ１１）。次に、電源制御部３１は、インテリジェンスクイック起動モードに移行して、ハードディスクドライブ部１８、光ディスクドライブ部１９及び周辺回路の初期化が実行される（ステップＳ１２）。これにより、リモコンＲの電源スイッチや操作部３２の電源スイッチがオンされると、直ちに電源オンモードＭＡに移行することができる状態となる。
【００３５】
次に、電源制御部３１は、スタンバイモードＭ２からの遷移であるかどうかを判断し、スタンバイモードＭ２からの遷移でなければ、ステップＳ１５に進む（ステップＳ１３）。ステップＳ１５にて、電源制御部３１は、リモコンＲや操作部３２の電源スイッチがオンされたかどうかを判断する（ステップＳ１５）。ここで、電源制御部３１は、電源スイッチがオンされていないと判断すると、ステップＳ１６に進み、例えば、外部装置（周辺機器）であるテレビジョンセットＴＳ等の電源の変化があるかどうかを判断する（ステップＳ１６）。
【００３６】
ここで、電源制御部３１は、例えば、外部装置（周辺機器）であるテレビジョンセットＴＳ等の電源の変化を、図１に示した映像音声入力部５２や通信端部５３により知ることができる。すなわち、映像音声入力部５２であれば、テレビジョンセットＴＳから記録装置１０に供給される映像音声信号であり、一例として、コンポジット映像信号、Ｄ端子、ｉ．ＬＩＮＫ（登録商標）等である。
【００３７】
また、外部装置（周辺機器）であるテレビジョンセットＴＳ等の電源の変化を知ることができるものが、通信端部５３であれば、具体的には、記録装置１０とテレビジョンセットＴＳとの間のネットワーク通信であり、ＨＤＭＩや、Ｅｔｈｅｒｎｅｔ（登録商標）等の通信端部がこの電源の変化を知ることができるが、この実施形態に限定されるものではない。外部装置（周辺機器）であるテレビジョンセットＴＳ等の電源オンオフの変化を電気的に認識することができる方法であればよい。
【００３８】
このように、電源制御部３１は、外部装置（周辺機器）であるテレビジョンセットＴＳ等の電源の変化を知ると、図１のメモリ部３４の周辺機器の電源オンオフテーブルにこの変化を記録する（ステップＳ１７）。この結果、一例として、図６に示すような周辺機器の電源オンオフテーブルが作成される。ここでは、一例として、過去１週間の各曜日の各時間の電源オンオフ頻度が示されている。このデータは、過去１週間毎に更新してもよいし、一か月分を各曜日各時間毎に平均値をとるものでもよい。また、他の時間の単位でのデータであってもかまわない。
【００３９】
電源制御部３１は、同時に、本体の電源オンオフ状態を記録することで、一例として、図５に示すようなＤＶＤレコーダ本体の使用状況の電源オンオフテーブルが作成される。ここでは、一例として、過去１週間の各曜日の各時間の電源オンオフ頻度が示されているが、このデータは過去１週間毎に更新してもよいし、一か月分を平均値をとるものでもよい。また、他の時間の単位でのデータであってもかまわないことは、外部装置（周辺機器）の電源オンオフテーブルと同様である。
【００４０】
次に、電源制御部３１は、ＤＶＤレコーダの使用状況（図５）と外部装置（周辺機器）の使用状況（図６）とに基づいて、その時点（例えば火曜日の午後２０：００）での推薦すべき動作モードを図７に示すように決定する。この決定方法は、様々な場合が可能であるが、一例として、本体使用頻度ａ、外部装置使用頻度ｂとした場合の、ａとｂによる演算処理により決定する方法が好適である。一例として、
ａ＋ｂ≧５０[％]
という条件が満たされる時、クイック起動モードを選択し、この条件が満たされない場合、スタンバイモードＭ２を選択する方法が好適であるが、演算方法や５０[％]という閾値はこれに限定されるものではない。
【００４１】
また、他のモード決定方法として、図４のフローチャートに示すように、ステップＳ１８’では本体の使用状況のみを参照して、クイック起動モードとするかどうかを判断し、ステップＳ１９では、その瞬間に外部装置（周辺機器）であるテレビジョンセットＴＳがオンであれば、必ずクイック起動モードを選択するという方法も好適である。なお、ステップＳ２０では、その瞬間の外部装置（周辺機器）であるテレビジョンセットＴＳの起動状態がメモリ部３４の電源オンオフテーブルに記録される。
【００４２】
このように、ステップＳ１８でクイック起動モードが選択されれば、ステップＳ１３に進み、クイック起動モードが維持された状態で、電源キーの押下を待機する状態が続くことになる。
【００４３】
しかし、ステップＳ１８でクイック起動モードが推薦されず（すなわちスタンバイモードＭ２が推薦された）、また、図４のフローチャートのステップＳ１８’及びステップＳ１９においても、外部装置（周辺機器）であるテレビジョンセットＴＳがオンしていると判断されない場合、処理は、ステップＳ２１に進む。
【００４４】
電源制御部３１は、スタンバイモードＭ２において、ハードディスクドライブ部１８、光ディスクドライブ部１９及び周辺回路への電源をオフして省電力を図る（ステップＳ２１）。次に、電源制御部３１は、電源スイッチがオンされたかどうかを確認し(ステップＳ２２）、確認されなければ、再び、この時点での本体及び外部装置（周辺機器）の電源オンオフテーブルに基づく、推薦される動作モードを判断する（ステップＳ２３）。ここで、クイック動作モードが推薦されず、スタンバイモードＭ２が推薦されているならば、ステップＳ２４に進み、この時点での本体及び外部装置（周辺機器）の使用状況に変化があればメモリ部３４の電源オンオフテーブルに記録する（ステップＳ２５）。ここで、スタンバイモードＭ２は、リモコンＲや操作部３２へのユーザの電源スイッチの押下が行なわれるか、時間の経過により電源オンオフテーブルに基づいて電源制御部３１がクイック起動モードを推薦するまで継続され（ステップＳ２３）、省電力を行なうこととなる。
【００４５】
しかし、電源制御部３１は、電源スイッチの押下を検出すると（ステップＳ２２）、ステップＳ１３に処理が進み、スタンバイモードＭ２からの遷移であることを判断して（ステップＳ１３）、ＨＤＤ／ドライブ及び周辺回路への初期化を行なう（ステップＳ２６）。そして、本体及び外部装置（周辺機器）の使用状況をメモリ部３４に記録する（ステップＳ２７）。
【００４６】
その後、電源オンモードＭＡへと移行し、電源制御部３１は、電源オン時の各処理を行なう（ステップＳ２８）。この状態でもし、再び、電源スイッチがオンされれば（ステップＳ２９）、再びクイック起動モードに戻り、この状況がメモリ部３４の電源オンオフテーブルに記録される（ステップＳ３０）。クイック起動モードでは、その時点で、ステップＳ１８において、クイック起動モードＭ１が選ばれていなければ、更に、スタンバイモードＭ２に移行することとなる。
【００４７】
ステップＳ２９で電源スイッチの押下が検出されなかったら、制御部３０の働きにより、リモコンＲや操作部３２の他のスイッチの入力を検出し（ステップＳ３１）、スイッチの入力に応じた処理を行い、また、それ以外の処理も同様に行なうことにより、通常のハードディスクレコーダの動作を実行するものである（ステップＳ３３）。
【００４８】
以上、詳細に説明したように、本発明に係る一実施形態である記録装置１０において、本体及び外部装置（周辺機器、例えば、接続されているテレビジョンセットＴＳ）の使用状況を示す電源オンオフテーブルに基づいて、クイック起動モードＭ１またはスタンバイモードＭ２が適宜、自動的に選択されることなる。これにより使用頻度の時間帯に適用した起動モードが選択されるため、ユーザの使用頻度が高い時間帯は迅速な起動が得られ、使用頻度が低い時間帯は省電力を実現することができる。
【００４９】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００５０】
【図１】本発明の一実施形態に係る情報再生装置の特徴の一例を示す説明図。
【図２】本発明の一実施形態に係る情報再生装置の構成の一例を示すブロック図。
【図３】本発明の一実施形態に係る情報再生装置の動作モード遷移処理の一例を示すフローチャート。
【図４】本発明の一実施形態に係る情報再生装置の動作モード遷移処理の他の一例を示すフローチャート。
【図５】本発明の一実施形態に係る情報再生装置が記録する使用状況データテーブルの一例を示す説明図。
【図６】本発明の一実施形態に係る情報再生装置が記録する周辺機器の使用状況データテーブルの一例を示す説明図。
【図７】本発明の一実施形態に係る情報再生装置が推薦する動作モードデータテーブルの一例を示す説明図。
【符号の説明】
【００５１】
３１…電源制御部、３５…電源部、３４…メモリ部、５１…映像音声出力部、５２…映像音声入力部、５３…通信端部。
【図１】
2008243337.tif 000003
【図２】
2008243337.tif 000004
【図３】
2008243337.tif 000005
【図４】
2008243337.tif 000006
【図５】
2008243337.tif 000007
【図６】
2008243337.tif 000008
【図７】
2008243337.tif 000009